(57)【要約】【課題】コストが安くかつ動作音も発生しないディスク誤挿入防止装置を提供する。【解決手段】内部にディスク再生部４が設けられた本体１と、駆動手段によって駆動されて本体１の正面から外部に出没可能に構成された可動部３と、を備え、ディスク再生部４と可動部３との間に隙間が形成される電子機器に利用されるディスク誤挿入防止装置であって、可動部３のディスク再生部４と対向する面にディスク誤挿入防止手段が設けられ、ディスク誤挿入防止手段は、可動部３のディスク再生部４と対向する面から突出し、可動部３とディスク再生部４との間に形成される空間に挿入されるディスクが当接する壁部９１と、当該壁部９１の先端に連なり、本体１の正面方向に突出する突条部９２と、を有する。【選択図】図４
2014106995.tif 000002
【特許請求の範囲】
【請求項１】
内部にディスク再生部が設けられた本体と、駆動手段によって駆動されて前記本体の正面から外部に出没可能に構成された可動部と、を備え、前記ディスク再生部と前記可動部との間に隙間が形成される電子機器に利用されるディスク誤挿入防止装置であって、
前記可動部の前記ディスク再生部と対向する面にディスク誤挿入防止手段が設けられ、
前記ディスク誤挿入防止手段は、前記可動部の前記ディスク再生部と対向する面から突出し、前記可動部と前記ディスク再生部との間に形成される隙間に挿入されるディスクが当接する壁部と、当該壁部の先端に連なり、前記本体の正面方向に突出する突条部と、を有することを特徴とするディスク誤挿入防止装置。
【請求項２】
前記誤挿入防止手段は、前記壁部が、前記可動部の前記ディスク再生部と対向する面に平板状に形成される平板部に一体的に形成されると共に、前記可動部の出没する方向に複数設けられることを特徴とする請求項１記載のディスク誤挿入防止装置。
【請求項３】
前記誤挿入防止手段は、前記複数の壁部に隣接して前記平板部に形成された穴部または凹部をさらに有することを特徴とする請求項２記載のディスク誤挿入防止装置。
【発明の詳細な説明】
【技術分野】
【０００１】
本発明は、ディスク誤挿入防止装置に関する。
【背景技術】
【０００２】
１ＤＩＮサイズの車載機器では、開閉式のモニタと、ディスクドライブと、を備えた製品があまた存在する。このような車載機器では、スペースが限られているため、ディスクのローディングは、スロットインが主流である。また、モニタ部が上側に開閉されるため、ディスク挿入口は、必然的にモニタ部の下側に配置される。また、モニタ部を可動させるために、モニタ部の下側にはクリアランス（隙間）が必要である。モニタ部が立ち上がった状態で、ディスクをディスク挿入口に挿入しようとした場合、ディスク挿入口が死角になりやすいため、前記クリアランス（隙間）に誤ってディスクを挿入してしまうおそれがある。
【０００３】
したがって、このようなタイプの製品では、前記クリアランス（隙間）に誤ってディスクを挿入したとしても、動作の不具合等の問題が生じないように対応しておく必要がある。
【０００４】
そこで、従来、モニタ部がスライド動作して立ち上がった時アーム等によるディスク誤挿入防止手段を動作させて、前記クリアランス（隙間）を塞ぐシャッター機構を設けていた（特許文献１参照）。
【先行技術文献】
【特許文献】
【０００５】
【特許文献１】特許第４４８５５２２号公報
【発明の概要】
【発明が解決しようとする課題】
【０００６】
しかしながら、ディスク誤挿入防止手段を含むシャッター機構は、複数の可動部品を要する複雑な機構となっており、コスト高となるとともに動作音が大きく発生してしまうという問題が一例として挙げられる。
【０００７】
そこで、本発明の目的は、例えばコストが安くかつ動作音も発生しないディスク誤挿入防止装置を提供することにある。
【課題を解決するための手段】
【０００８】
前述した課題を解決し目的を達成するために、請求項１に記載の本発明は、
内部にディスク再生部が設けられた本体と、駆動手段によって駆動されて前記本体の正面から外部に出没可能に構成された可動部と、を備えた電子機器におけるディスク誤挿入防止装置であって、
前記可動部の前記ディスク再生部と対向する面にディスク誤挿入防止手段が設けられ、
前記ディスク誤挿入防止手段は、前記可動部の前記ディスク再生部と対向する面から突出し、前記可動部と前記ディスク再生部との間に形成される空間に挿入されるディスクが当接する壁部と、当該壁部の先端に設けられ、前記本体の正面方向に突出する突条部と、を有することを特徴とする。
【図面の簡単な説明】
【０００９】
【図１】本発明の実施の形態に係るディスク誤挿入防止装置を備えた車載用電子機器の車内取り付け状態を示す模式的な斜視図である。
【図２】図１の車載用電子機器における表示パネルが本体に収納された状態における本体の内部構造を示す透視的な側面図である。
【図３】図２の表示パネルとパネル駆動部材とを本体底面側から見た模式的な平面図である。
【図４】図１の車載用電子機器における表示パネルが外部に排出されて立ち上げられた状態における本体の内部構造を示す透視的な側面図である。
【図５】図４の表示パネルとパネル駆動部材とを本体底面側から見た模式的な平面図である。
【図６】図３におけるＸ−Ｘ線断面図である。
【図７】本発明のディスク誤挿入防止装置の変形例を示す断面図である。
【図８】表示パネルの排出動作を説明するための模式的な斜視図であり、表示パネルが本体に収納された状態を示す図である。
【図９】表示パネルの排出動作を説明するための模式的な斜視図であり、表示パネルが本体から外部に排出された状態を示す図である。
【図１０】表示パネルの排出動作を説明するための模式的な斜視図であり、表示パネルが立ち上げられた状態を示す図である。
【発明を実施するための形態】
【００１０】
以下、本発明の実施形態を説明する。本発明の実施形態に係るディスク誤挿入防止装置は、内部にディスク再生部が設けられた本体と、駆動手段によって駆動されて前記本体の正面から外部に出没可能に構成された可動部と、を備え、前記ディスク再生部と前記可動部との間に隙間が形成される電子機器に利用されるディスク誤挿入防止装置であって、
前記可動部の前記ディスク再生部と対向する面にディスク誤挿入防止手段が設けられ、
前記ディスク誤挿入防止手段は、前記可動部の前記ディスク再生部と対向する面から突出し、前記可動部と前記ディスク再生部との間に形成される隙間に挿入されるディスクが当接する壁部と、当該壁部の先端に連なり、前記本体の正面方向に突出する突条部と、を有することを特徴とする。
【００１１】
それにより、可動部の出没時において、ディスクの誤挿入を防止することができ、誤挿入による動作の不具合を防止することが可能となる。また、ディスク誤挿入防止装置は、可動部のディスク再生部と対向する面に形成して構成されているので、安価に実施できる。また、可動部分がないので動作音が発生することもない。また、突条部があるため、ディスクが押し込まれた場合に、壁部の先端部から外れてさらに奥へディスクが侵入してしまう虞を防止することができる。
【００１２】
誤挿入防止手段は、壁部が、可動部のディスク再生部と対向する面に平板状に形成される平板部に一体的に形成されると共に、可動部の出没する方向に複数設けられてもよい。
【００１３】
それにより、可動部がどのポジション（フルオープン位置、セットバック位置等）にある場合でも、複数のどれかの位置にあるディスク誤挿入防止装置に、誤挿入されたディスクが当接し、ディスク誤挿入防止装置が機能する。なお、セットバック位置とは、フルオープン位置よりも若干戻ってインダッシュパネルに近づいた位置である。
【００１４】
誤挿入防止手段は、複数の壁部に隣接して平板部に形成された穴部または凹部をさらに有してもよい。
【００１５】
それにより、ディスク誤挿入空間Ｓに向けて斜めに差し込まれたディスクの端部が、穴部または凹部に嵌まることにより、ディスク誤挿入空間Ｓの内部へのディスクの誤挿入が防止される。
【実施例】
【００１６】
本発明の一実施形態について、添付図面を参照しながら説明する。ここでは、本実施の形態を車載用のテレビやナビゲーション装置等の車載用電子機器に適用した場合を例示して説明する。
【００１７】
図１は、本発明の実施の形態に係るディスク誤挿入防止装置を備えた車載用電子機器の車内取り付け状態を示す模式的な斜視図である。
【００１８】
また、図２及び図３は、図１の車載用電子機器における表示パネル２が本体１に収納された状態（以下、この状態をパネル収納時と呼ぶ。）を示す図である。図２は、透視的に本体１の内部構造を示す側面図であり、図３は、図２の表示パネル２及びパネル駆動部材３を本体１の底面側から見た模式的な平面図である。
【００１９】
また、図４及び図５は、図１の車載用電子機器の表示パネル２が本体１の外部に排出されて表示パネル２が立ち上げられた状態（以下、この状態をパネル出没時と呼ぶ。）を示す図である。図４は、透視的に本体１の内部構造を示す側面図であり、図５は、図４の表示パネルとパネル駆動部材とを本体底面側から見た模式的な平面図である。図６は、図３におけるＸ−Ｘ線断面図である。
【００２０】
図１、図２及び図４に示すように、車載用電子機器は、車内のコンソールボックスやダッシュボード等に載置される本体１と、本体１から出没して画像情報等の情報を表示する表示パネル２と、を主たる構成要素として備えている。表示パネル２は、図２に示すように、本体１内に収納可能に構成されると共に、図４に示すように、本体１内に設けられた可動部としてのパネル駆動部材３により、本体１内においてスライド移動可能かつ外部においてチルト移動可能に構成されている。
【００２１】
図２及び図４にしめすように、本体１は、対向配置された天板及び底板と、これらの外周に連続して配置された左右の側板及び背板と、によって構成された四角い箱形形状を有し、正面が開口されている。本体１の内部には、不図示のシャーシに取り付けられたディスク再生装置４が、底面側に配置されている。ディスク再生装置４は、従来のディスク再生装置と同様の構成を有しており、ここでは説明を省略する。
【００２２】
ディスク再生装置４の上方には、表示パネル２及びパネル駆動部材３の収納空間となるパネル収納空間５が形成されている。図３及び図５に示すように、パネル収納空間５を構成する本体１の左右の側板の内面には、表示パネル２及びパネル駆動部材３のスライド移動のためのガイドレール６が配設されている。また、一方のガイドレール６の正面開口側の端部付近には、本体１の内方に突出してスライドストッパ７が配設されている。
【００２３】
図２及び図４に示すように、本体１の正面（すなわち、開口側）には、ディスク再生装置４が配設された部分を覆うように、正面カバーであるグリル８が取り付けられている。一方、グリル８が取り付けられていない本体１のパネル収納空間５は、外部と連通している。
【００２４】
グリル８の正面には、車載用電子機器の動作を制御するための各種の入力設定手段（例えば、ツマミ８１）が設けられている。また、グリル８の正面には、水平方向に所定の幅でディスク挿入口８２（図１参照）が形成されている。
【００２５】
図１に示すように、表示パネル２は、液晶表示モニタ等の表示モニタ２１を有しており、ナビゲーション地図画面やテレビ画面等の画像情報や文字情報が、この表示モニタ２１の表示画面２３に表示される。表示パネル２は、表示モニタ２１が四角い箱形の筐体２２内に収納配置された構成を有する。筐体２２は、表示モニタ２１の裏面及び側面全体を覆うと共に、表示面２３の外周を枠状に囲んでいる。ここでは、表示面２３を囲む枠状の筐体２２の部分を、枠材２４と呼ぶ。枠材２４は、四角形状の表示面２３の縁部に沿って配置されている。
【００２６】
枠材２４は、表示面２３の縁部に配置されていることから、表示パネル２の側面視において表示画面２３より突出している。そして、特に、表示面２３の上辺に沿って配置された枠材２４（以下、これを上辺枠材２４ａと呼ぶ。）は、他の３辺に配置された枠材２４よりも厚く形成されており、よって、他の３辺の枠材２４に比べて表示面２３から大きく突出している。なお、ここでは、表示面２３から枠材表面までの距離を枠材２４の厚さと呼ぶ。また、ここでは、使用時の表示パネル２を立ち上げた状態を基準に表示パネル２の上下を決めている。
【００２７】
図２に示すように、ここでは、パネル収納時において表示パネル２及びパネル駆動部材３の底部平面とディスク再生装置４の上部平面との間に形成される隙間（以下、これをディスク誤挿入空間と呼ぶ。）Ｓの本体正面視における空間入口が、上辺枠材２４ａによって覆われるように、上辺枠材２４ａの厚さが設定されている。すなわち、パネル収納時には、本体正面から見ると、表示パネル２の上辺枠材２４ａによって、ディスク誤挿入空間Ｓが隠される。
【００２８】
本体１のパネル収納空間５内に収納された表示パネル２は、表示面２３を下側に向け、水平に配置されている。かかる状態では、上辺枠材２４ａが配置された表示パネル２の上端部が、本体正面に配置される。
【００２９】
表示パネル２の本体背面側には、パネル駆動部材３が配置されている。このパネル駆動部材３によって、表示パネル２は、パネル収納空間５を前後にスライド移動すると共に、本体１の外部において、表示を見やすい角度までチルト移動することが可能となる。
【００３０】
なお、ここでは、本体正面側を前方及び本体背面側を後方とし、前方に向かうスライド移動を前進、後方に向かうスライド移動（すなわち、収納動作）を後退と定義している。
【００３１】
図２及び図４に示すように、パネル駆動部材３は、表示パネル２を支持するパネル支持手段であるアーム３３と、表示パネル２を駆動させるための不図示の駆動手段と、を含んで構成されている。駆動手段は、例えば、駆動源であるモータと、モータの回転を駆動力として表示パネル２に伝達するギア等の伝達手段と、表示パネル２のスライド移動量及びチルト角度を検出すると共に、検出結果に基づいてモータの回転を制御する制御手段と、を含む。
【００３２】
アーム３３の先端は、表示パネル２の底辺に配置されたチルト軸３４に取り付けられている。それにより、表示パネル２が、アーム３３に軸支された構成となる。
【００３３】
表示パネル２のチルト軸３４の周辺には不図示のチルトアップギアが配設され、一方、このチルトアップギアと係合する不図示のチルトアップ駆動ギアが、アーム３３に取り付けられている。かかる構成によって、表示パネル２が、チルト軸３４の周囲を回動可能となる。
【００３４】
図３及び図５に示すように、パネル駆動部材３及び表示パネル２は、本体１の左右の側板内面にそれぞれ水平に延在して配置されたガイドレール６上に載置されている。それにより、表示パネル２が、パネル収納空間５内にて水平に進退自由にスライド移動可能に支持される。
【００３５】
さらに、パネル駆動部材３の底面には、フレキシブルプリント基板等をカバーするために樹脂からなる平板状に形成された平板部であるカバー９が取り付けられている。そして、このカバー９には、ディスク誤挿入防止装置が一体形成されている。
【００３６】
このディスク誤挿入防止装置は、具体的には、カバー９の両側端部間にパネル駆動部材３のスライド移動方向に対して直交する方向に延在するように一体形成されたリブ状の壁部９１と、該壁部９１の先端に連なり前方に突出する突条部９２と、から構成されている。また、壁部９１の根元には、ほぼかまぼこ状の貫通穴９３が形成されている。ここでは、壁部９１、突条部９２及び貫通穴９３のセットが、パネル駆動部材３の出没する方向の異なる位置に３個示されているが、この個数は適宜変更可能である。
【００３７】
壁部９１は、カバー９の表面から壁部９１の先端までの高さｈ２が、パネル駆動部材３の底面（カバー９の表面）からディスク再生装置４の天板までの距離（すなわち、ディスク誤挿入空間Ｓの高さ）ｈ１に対して、ｈ１−Ｔ＜ｈ２＜ｈ１（ただし、Ｔは、ディスク再生装置４で利用されるディスクの厚さであり、例えば、ディスクがコンパクト・ディスク（ＣＤ）ならば、Ｔ＝１．２ｍｍである。）を満たすように設定される。また、壁部９１の長さＬ１は、ディスク誤挿入空間Ｓの幅Ｗ１に対してＷ１−Ｌ１＜Ｄ（ただし、Ｄは、ディスク再生装置４で使用されるディスクの直径である。）を満たすように設定される。
【００３８】
突条部９２は、パネル駆動部材３の底面（カバー９の表面）からの高さｈ３が、ｈ３＞Ｔとなるように設定される。貫通穴９３は、その長さＬ２がＤ＞Ｌ２で、一辺が壁部９１の根元に直線状に形成され、この一辺に対向する辺が、本体１の前方に凸となる円弧状に形成されている。
【００３９】
次に、表示パネル２の排出動作及び収納動作について説明する。
【００４０】
まず、図８に示すように、本体１に収納された表示パネル２を出没させる際には、グリル８の正面に配設された不図示の入力設定手段に入力を行い、パネル駆動部材３を駆動させる。具体的には、パネル駆動部材３の不図示の駆動手段を駆動させ、その駆動力を不図示のギア等の伝達手段を介して，表示パネル２に伝達する。それにより、図９に示すように、表示パネル２が、パネル駆動部材３と共に本体１内のガイドレール６（図１０参照）に沿って前方に向かって水平にスライド移動して外部に排出される。
【００４１】
ここで、このような表示パネル２及びパネル駆動部材３のスライド移動では、本体１内に配設された不図示の光学式センサ等のスライド量検出手段によって、表示パネル２の移動量が検出される。そして、この検出情報に基づいて、不図示の制御手段によりパネル駆動部材３の不図示の駆動手段が制御される。それにより、所定の排出位置で表示パネル２のスライド移動を停止させることが可能となる。
【００４２】
表示パネル２が本体１の外部に排出された後、図１０に示すように、排出時に最前に位置された表示パネル２の上端が頂部にくるよう、パネル駆動部材３が、表示パネル２をチルト移動させる。それにより、表示パネル２の立ち上げが行われて、表示面２３が正面に配置される。以上のように、表示パネル２の排出動作及び立ち上げ動作により、表示パネルが出没する。
【００４３】
一方、表示パネル２の使用が済んだら、再び不図示の入力設定手段により入力を行う。それにより、上記とは逆の順序で逆向きの各動作が行われ、外部に出没していた表示パネル２が、パネル駆動部材３と共に再び本体１に収納される。すなわち、表示パネル２の収納動作では、まず、表示パネル２が表示面２３を下に向けて水平に寝た状態となるように、表示パネル２の上端部を排出時の位置まで下げる上記とは逆向きのチルト移動が実施される。続いて、表示パネル２及びパネル駆動部材３を上記とは逆に後方にスライド移動させて元の収納位置まで後退させる。
【００４４】
次に、本実施の形態におけるディスクの誤挿入防止動作を、表示パネル２の動作と合わせて説明する。
【００４５】
図４及び図５にしめすように、パネル出没時には、パネル駆動部材３の底面に取り付けられたカバー９に一体形成された壁部９１及び突条部９２により、ディスク誤挿入空間Ｓの入口が塞がれる。それにより、ディスク挿入口８２（図１参照）に挿入されず誤ってその上方のディスク誤挿入空間Ｓに向けて斜めに差し込まれたディスクの端部が、壁部９１と突条部９２に当接するか、または貫通穴９３に嵌まる。このようにして、ディスク誤挿入空間Ｓの内部へのディスクの誤挿入が防止される。
【００４６】
なお、壁部９１、突条部９２及び貫通穴９３のセットがパネル駆動部材３の出没する方向に位置を変えて複数個設けられている。それにより、表示パネル２がどのポジション（フルオープン位置、セットバック位置等）にある場合でも、複数のどれかの位置にある壁部９１、突条部９２及び貫通穴９３のセットに、誤挿入されたディスクが当接し、ディスク誤挿入防止装置が機能する。
【００４７】
以上説明したように、本実施の形態によれば、表示パネル２の出没時において、ディスクの誤挿入を防止することができ、誤挿入による動作の不具合を防止することが可能となる。また、ディスク誤挿入防止装置は、パネル駆動部材の底面に取り付けられる樹脂製カバーに一体形成して構成されているので、安価に実施できる。また、可動部分がないので、動作音が発生することもない。
【００４８】
なお、前述した実施例は本発明の代表的な形態を示したに過ぎず、本発明は、実施例に限定されるものではない。即ち、本発明の骨子を逸脱しない範囲で種々変形して実施することができる。かかる変形によってもなお本発明の構成を具備する限り、勿論、本発明の範疇に含まれるものである。
【００４９】
例えば、図７に示すように、突条部９２は、テーパーを持たせて前方に先細状に形成したり他の形状としたりすることができる。また、貫通穴９３に代えて凹部９４としてもよい。突条部９２及び貫通穴の形状は、上記の実施の形態に限らず任意の形状とすることができる。
【００５０】
また、上記の実施の形態では、本発明を車載用電子機器に適用した場合を例示したが、本発明はこれ以外の電子機器にも適用可能である。
【符号の説明】
【００５１】
１    本体
２    表示パネル
３    パネル駆動部材
４    ディスク再生装置
５    パネル収納空間
９    カバー（平板部）
９１  壁部（ディスク誤挿入防止手段の一部）
９２  突条部（ディスク誤挿入防止手段の一部）
９３  貫通穴（ディスク誤挿入防止手段の一部）
Ｓ    ディスク誤挿入空間
【図１】
2014106995.tif 000003
【図２】
2014106995.tif 000004
【図３】
2014106995.tif 000005
【図４】
2014106995.tif 000006
【図５】
2014106995.tif 000007
【図６】
2014106995.tif 000008
【図７】
2014106995.tif 000009
【図８】
2014106995.tif 000010
【図９】
2014106995.tif 000011
【図１０】
2014106995.tif 000012